(57)【要約】      （修正有）【課題】階段に一段毎に敷設される階段用化粧材であって、敷設および交換が容易で、階段昇降時の滑落を防止することができる階段用化粧材を提供する。【解決手段】この階段用化粧材１は、化粧材主体１ａと起立部材２から構成されるものである。化粧材主体１ａの裏面に、ウレタン系の樹脂などの合成樹脂などの素材で構成される下地３を設けて、前記起立部材２を挟持する構成としたが、前記下地３は、必ずしも設ける必要はないものである。前記化粧材主体１ａは、階段を構成する踏板面被覆部１ｂと蹴上面被覆部１ｃをカバー可能な大きさで、かつ所要の幅と厚みと長さを有するＬ字状の素材からなるものである。この素材については、Ｌ字状に形成する、すなわち、その所定の位置に折曲げ部を形成するため、予め折り目加工を付しておくことが望ましい。【選択図】図１
0003197303.tif 000002
【実用新案登録請求の範囲】
【請求項１】
一方の面を踏板面被覆部とし、他方の面を蹴上面被覆部とした断面Ｌ字状の化粧材主体と、前記踏板面被覆部の蹴上面側の端面を上方に起立させる起立部材から構成され、
前記化粧材主体の踏板面被覆部の、前記踏板面被覆部側の裏面に沿って起立部材を配置し、当該起立部材によって、前記踏板面被覆部の端縁を上方に起立させて滑止め部を形成せしめたこと
を特徴とする階段用化粧材。
【請求項２】
前記化粧材主体は、
カーペット生地で構成されること
を特徴とする請求項１に記載の階段用化粧材。
【請求項３】
前記起立部材は、
弾性を有する素材で構成されていること
を特徴とする請求項１又は２に記載の階段用化粧材。
【考案の詳細な説明】
【技術分野】
【０００１】
この考案は、階段に一段毎に敷設される階段用化粧材に関するものである。
より具体的には、敷設および交換が容易で、階段昇降時の滑落や転落を防止することができる階段用化粧材に関するものである。
【背景技術】
【０００２】
従来、階段にカーペットなどの化粧材を施工する場合には、長尺状に裁断した化粧材を階段の各段部に沿わせて敷き、接着剤や鋲などで固定することにより行われていた。
【０００３】
しかしながら、段部の連続からなる階段に長尺の化粧材を弛みなく正確に沿わせて敷設することは困難であった。
さらに、このような化粧材においては、部分的に汚れや損傷が生じた場合であっても、その交換を行うことは困難であった。
【０００４】
そこで、実公平０１−４４１３６号公報（特許文献１）においては、階段の各段部の形状に対応して予め成形された複数個の成形カーペット単位を用い、これを何ら格別の固着手段を用いる必要なしに階段に良好な定着状態に敷設しうるように工夫されたカーペット敷設階段が提案されている。
【０００５】
前記成形カーペット単位は、カーペット主体の下面に弾性を有する硬質合成樹脂シートが積層一体化された積層体により屈折形態で形成されるもので、階段の段板の上面を覆う踏面部と、その前端から下方に段面Ｌ状ないしはレ字状に折曲された段鼻部被覆用の係止縁と、同踏面部の後端から上方に折曲された蹴込み被覆用の立上り部とを有するものである。
【先行技術文献】
【特許文献】
【０００６】
【特許文献１】実公平０１−４４１３６号公報（請求項１，図１）
【考案の概要】
【考案が解決しようとする課題】
【０００７】
前記特許文献１のカーペット敷設階段における成形カーペット単位では、踏板面と蹴上面との連設部が面一であるため、階段の昇降に際して、足を滑らし易く、滑落や転落の危険性を有しているので、特に、老人や子供には問題があった。
【０００８】
この考案はかかる現状に鑑み、階段に一段毎に敷設される階段用化粧材であって、敷設および交換が容易で、階段昇降時の滑落を防止することができる階段用化粧材を提供することを目的とするものである。
【課題を解決するための手段】
【０００９】
前記目的を達成するため、この考案にかかる請求項１に記載の考案は、
一方の面を踏板面被覆部とし、他方の面を蹴上面被覆部とした断面Ｌ字状の化粧材主体と、前記踏板面被覆部の蹴上面側の端面を上方に起立させる起立部材から構成され、
前記化粧材主体の踏板面被覆部の、前記踏板面被覆部側の裏面に沿って起立部材を配置し、当該起立部材によって、前記踏板面被覆部の端縁を上方に起立させて滑止め部を形成せしめたこと
を特徴とする階段用化粧材である。
【００１０】
この考案の請求項２に記載の考案は、
請求項１に記載の階段用化粧材において、
前記化粧材主体は、
カーペット生地で構成されること
を特徴とするものである。
【００１１】
この考案の請求項３に記載の考案は、
請求項１又は２に記載の階段用化粧材において、
前記起立部材は、
弾性を有する素材で構成されていること
を特徴とするものである。
【考案の効果】
【００１２】
この考案にかかる階段用化粧材は、階段を構成する踏板と蹴上板状体の表面を同時に被覆可能な断面Ｌ字型の階段用化粧板からなるもので、各階段を一段毎に被覆することが可能なもので、該階段に適宜手段によって固定することで敷設できるので、その取付けが容易である。
さらに、汚れや、損傷が生じた場合、あるいは意匠的効果を目的として、前記階段用化粧材の交換を容易に行うことができるとともに、足の踏み外しなどによる滑落や転落を確実に防止することができる。
【図面の簡単な説明】
【００１３】
【図１】この考案にかかる階段用化粧材の一実施形態を示した斜視図である。
【図２】図１に示す階段用化粧材が階段に敷設された状態を模式的に示す概略説明図である。
【考案を実施するための形態】
【００１４】
以下、この考案にかかる階段用化粧材の実施の形態を、添付の図面に基づいて具体的に説明する。
なお、この考案の階段用化粧材は、図示の実施例に限定されるものではなく、考案の要旨を変更しない範囲内で改良を加えることができるものである。
【００１５】
この階段用化粧材１は、図１に示すように、化粧材主体１ａと起立部材２から構成されるものである。
なお、この実施例においては、化粧材主体１ａの裏面に、ウレタン系の樹脂などの合成樹脂などの素材で構成される下地３を設けて、前記起立部材２を挟持する構成としたが、前記下地３は、必ずしも設ける必要はないものである。
【００１６】
前記化粧材主体１ａは、階段を構成する踏板面被覆部１ｂと蹴上面被覆部１ｃをカバー可能な大きさで、かつ所要の幅と厚みと長さを有するＬ字状の素材からなるものである。
この素材については、Ｌ字状に形成する、すなわち、その所定の位置に折曲げ部を形成するため、予め折り目加工を付しておくことが望ましい。
なお、この実施例においては、前記化粧材主体１ａは、カーペット生地で構成されているが、絨毯などの繊維素材や、樹脂、ゴム、木など、カーペット生地以外の素材で構成することもできる。
【００１７】
かかる化粧材主体１ａは、前記踏板面被覆部１ｂを階段４の踏板４ａに、前記蹴上面被覆部１ｃを、階段４の蹴上板４ｂに当接させ、接着剤などによって固定するものであるが、その固定に際し、前記踏板４ａの蹴上板４ｂ側の端縁に沿って、予め起立部材２を固定しておく。
【００１８】
したがって、前記起立部材２は、前記踏板面被覆部１ｂの蹴上面側の端面を上方に起立させるので、前記踏板４ａに敷設される化粧用主体１ａの蹴上板４ｂ側の端縁には、階段の長手方向の縁部に沿って前記起立部材２の厚みに相応する膨出部１ｄが形成され、踏み外しや滑りによる滑落や転落を防止することができる。
【００１９】
なお、この実施例においては、前記起立部材２は、丸みを帯びた形状を有し、弾性を有する素材（樹脂やゴムなど）で構成されているが、滑止め効果を損なわない限り、種々の材質および形状のものとすることができる。
【００２０】
かかる階段用化粧材１は、図２に示すように、階段４に対して、前記折曲げ部を階段４の角部に当接させて、踏板面被覆部１ｂによって踏板４ａの上面を被覆するとともに、蹴上面被覆部１ｃによって蹴上板４ｂの上面を被覆するよう敷設される。
その際、前記階段用化粧材１の階段への固定には、公知の固定手段を用いることができる。
【００２１】
例えば、前記化粧材主体１ａに直接または前記下地３を介して粘着剤や、面ファスナーなどの公知の固定手段を用いることができる。
したがって、この考案にかかる階段用化粧材は、専門の施工業者でなくても、容易に敷設、施工することができるものである。
【００２２】
図２に示すように、この考案にかかる階段用化粧材１を階段４に敷設すると、前記膨出部１ｄは、この階段の踏板４ａの上面の前端部に位置することになる。
したがって、前記膨出部１ｄは、滑り止めとしての機能を有するので、階段昇降時の滑落や転落などを防止することができる。
【００２３】
なお、この実施例においては、段鼻部を有しない階段を例として挙げたが、例えば、前記階段用化粧材の折曲げ部に、段鼻部を被覆するように段鼻部被覆部を形成することによって、段鼻部を有する階段にも適用することができる。
【産業上の利用可能性】
【００２４】
この考案にかかる階段用化粧材は、階段に一段毎に敷設されるもので、敷設および交換が容易で、階段昇降時の滑落や転落などを防止することを可能とする。
したがって、特に建築業界において幅広く利用されるものである。
【符号の説明】
【００２５】
１      階段用化粧材
１ａ    化粧材主体
１ｂ    踏板面被覆部
１ｃ    蹴上面被覆部
１ｄ    膨出部（滑止め部）
２      起立部材
３      下地
４      階段
４ａ    踏板
４ｂ    蹴上板
【図１】
0003197303.tif 000003
【図２】
0003197303.tif 000004